(57)【要約】      （修正有） 【課題】物品の紛失を防止でき、しかも鏡による装いの確認も可能として携帯性に優れた多用途ホルダーを提供する。【解決手段】鏡付き多用途ホルダー１を、物品を挟持するクリップ４と、クリップ４に、リング３を介して連結され、ボールマーカーを接触保持するマーカー保持体２と、を備えて構成した。好ましくは、マーカー保持体２に、磁性体または磁石が設けられ、ボールマーカーを着脱自在に吸着保持せしめる。また、クリップ４の代わりにキーホルダー用のフックを設けることで通勤、勤務中にも使用可能なアクセサリー兼用携帯鏡を構成する。【選択図】図１
0003150675.tif 000002
【実用新案登録請求の範囲】
【請求項１】
物品を挟持するクリップと、
該クリップに、連結具を介して連結され、磁性体または磁石からなる保持体と、保持体の裏面に鏡を備えた鏡付き多用途ホルダー。
【請求項２】
該保持体はボールマーカーを着脱自在に吸着保持可能としたマーカー保持体としたことを特徴とする請求項１に記載の鏡付き多用途ホルダー。
【請求項３】
該マーカー保持体が、表面が平滑に形成された磁性材料からなり、防湿性を有する樹脂で形成された外周部を有することを特徴とする請求項２に記載の鏡付き多用途ホルダー。
【請求項４】
該マーカー保持体の外周部を保持体面より厚くし、ボールマーカーを収納した際に、該マーカー保持体外周部と該ボールマーカーとが、略面一となるようになされた請求項２に記載の鏡付き多用途ホルダー。
【請求項５】
該マーカー保持体が、略円盤形状をなす請求項３または４に記載の防湿性を有する樹脂で形成された鏡付き多用途ホルダー。
【請求項６】
請求項１ないし５のいずれかに記載の鏡付き多用途ホルダーと、
該ホルダーが固着されたヘッドカバーと、を備えた多用途ホルダー付きヘッドカバー。
【請求項７】
物品を挟持するクリップと、
該クリップに、連結具を介して連結され、平板状の保持体と、保持体の裏面に鏡を備えたアクセサリー兼用携帯鏡。
【考案の詳細な説明】
【技術分野】
【０００１】
本考案は、紛失し易い物、例えばゴルフのヘッドカバー、ボールマーカー等を保持するホルダーであって、鏡を少なくとも一面に設け、さらには、フックなどの係止用具をも付帯させることでゴルフ用品等のホルダー以外にも用途が発展可能な鏡付き多用途ホルダーあるいはアクセサリー兼用の携帯鏡に関する。
【背景技術】
【０００２】
一般にホルダーには多数の種類があるが、飾りに主眼があるものが多く、鏡を用いたものは見当たらない。また、ゴルフ等では、クラブ使用時にヘッドカバーを一次的に外す必要があるが、そのヘッドカバーを置き忘れるなどして紛失し易く、このへッドカバーの管理がわずらわしいものであった。さらに、ボールマーカーもポケット内で紛失し易いものであり、このボールマーカーの紛失防止も問題であった。
【０００３】
一方、ゴルフのプレー中においては、容易に化粧室へ立ち寄ることは、他のプレーメンバーや次のグループの待機等への考慮もあって、行いにくい状況にある。かといってプレー途中で化粧品を取り出して使用することは、実際困難である。またプレー中には風によって帽子がゆがんだり、風により細かい砂が目に入り、コンタクトの調整が必要となったり、汗で化粧が取れたりすることが頻繁におこるものである。また、ゴルフのプレー終了直後にも崩れた身だしなみを整えたいという場面が多く存在する。
このようなとき、ホルダーの一面に鏡が設けられていると、さりげなく、鏡で確認することができ、非常に便利である。
【０００４】
従来、ホルダーに、鏡を用いたものは見当たらない。ボールマーカーについては、下記の特許文献があるが、これは芝目を読むための拡大鏡（レンズ）をマーカーとして用い、その拡大レンズを収納できるようにしたもので、鏡を用いたホルダーについての文献は見当たらない。
【先行技術文献】
【特許文献】
【０００５】
【特許文献１】特開２００７−８２９８６号
【考案の概要】
【考案が解決しようとする課題】
【０００６】
これまでゴルフプレー中の鏡による身体の状況の確認や、コンタクトの調整などについては、プレーを中断して化粧室に駆け込むか、自身で用意したコンパクト等をかばんから取り出して確認するしか方法がなかった。
このような状況への対策として、鏡をプレーで最もよく利用する小物に設けることで、さりげない身だしなみの確認が可能となった。
また、キーホルダー用の係止具を用いることで、一般の鞄等にもアクセサリーとして付けることが可能で、しかも裏面の鏡を利用してさりげなく、身だしなみが可能となる。
【課題を解決するための手段】
【０００７】
本考案の鏡付き多用途ホルダーは、物品を挟持するクリップと、該クリップに、連結具を介して連結され、磁性体または磁石からなる保持体と、保持体の裏面に鏡を備えたことを要旨とする。
【０００８】
該保持体はボールマーカーを着脱自在に吸着保持可能としたマーカー保持体としたことを要旨とする。
【０００９】
該マーカー保持体が、表面が平滑に形成された磁性材料からなり、防湿性を有する樹脂で形成された外周部を有することを要旨とする。
【００１０】
本考案の鏡付き多用途ホルダーは該マーカー保持体面より外周部を厚くし、ボールマーカーを収納した際に、該マーカー保持体外周部と該ボールマーカーとが、略面一となるようになされたことを要旨とする。
【００１１】
該マーカー保持体が、略円盤形状をなし、防湿性を有する樹脂で形成されたことを要旨とする。
【００１２】
本考案の多用途ホルダー付きヘッドカバーは、これらの鏡付き多用途ホルダーと、該ホルダーが固着されたヘッドカバーと、を備えたことを要旨とする。
【００１３】
本考案のアクセサリー兼用携帯鏡は、物品を挟持するクリップと、該クリップに、連結具を介して連結され、平板状の保持体と、保持体の裏面に鏡を備えたことを要旨とする。
【００１４】
鏡の大きさは対象物が良く見えるように全面に設けるのが好ましいが、面の一部であってもかまわない。また、この鏡は一面のみではなく、両面に設けても良い。
反対側はネームプレートとしても良いし、磁性体を用いて、ボールマーカーの保持体としても良い。またゴルフ場の宣伝でも可能でどのような構成でもよい。一般に形状は丸く平たい形状が考えられるが、これも特定されるものではない。
【考案の効果】
【００１５】
以上説明してきたように本考案は、ホルダーに磁性体の保持体の少なくとも一面に鏡を設けているため、プレー中あるいはプレー後のいつでも身だしなみを確認することができ便利である。先端のフックを取替え可能としていることから布を挟むタイプやナスカンのようにリングや受け金具に引っ掛けることが可能となり、ゴルフのみではなく、通勤鞄やあらゆる物に係止可能となり、多くの生活の場で利用可能となる。
【図面の簡単な説明】
【００１６】
【図１】本考案の鏡付き多用途ホルダーの正面図である。
【図２】本考案の鏡付き多用途ホルダーの背面図である。
【図３】本考案のクリップ及び保持体を説明するための図である。
【図４】本考案の鏡付き多用途ホルダーの右側面図である。
【図５】キーホルダーの先端に見られるナスカンを示す説明図である。
【図６】本考案の鏡付き多用途ホルダーの使用状態図である。
【考案を実施するための形態】
【００１７】
本考の好ましい実施形態について図１〜図６を参照して説明する。
図１は、本考案の正面図であり、図２はクリップ部分の説明図、図３は背面図、図４は保持体右側面説明図、図５はキーホルダー用のナスカンの説明図、図６は使用状態図である。図において、（１）はホルダー、（２）は保持体本体、（３）はリング、（４）はクリップ、（５）はキーホルダー用フック、（６）は保持体裏面の鏡面であるアクリルミラー、（７）は保持体表面のメタルプレート、（８）はボールマーカー、（９）はヘッドカバーである。
図１は実物大のものであり、多用途ホルダー（１）は、クリップ（４）と、クリップ（４）にリング（３）を介して連結されたマーカー保持体（２）とを備えて構成されている。
【００１８】
クリップ（４）は、図１〜図２に示すように、軸支部（１０）と、軸支部（１０）に軸着される一対の挟持部（１１ａ）、（１１ｂ）とを備え、軸支部（１０）の回動に伴って、挟持部（１１ａ）、（１１ｂ）が開閉する構造を有するものである。また、リング（３）は、図１〜図２に示すように、円環状をなす大小の連結リング（１５ａ）、（１５ｃ）と、回動自在に結合される連結金具（１６ａ）、（１６ｂ）とを適宜組み合わせることによって構成されている。
クリップ（４）およびリング（３）は、例えば合成樹脂製や金属製であるが、上記に限定されず、様々な形態のものを採用してよい。
図３に示すように、保持体（２）の中央部は表面にメタルプレートを用い、ボールマーカーが接着可能としている。裏面にアクリルミラー（６）を用いている。更に保持体の外周部分（２ａ）はゴムや樹脂素材を用いて、耐久性とクッション性、手触り感を高め、防湿性を有する樹脂を使用している。また鏡面が容易に傷つかないように、外周部分（２ａ）がミラー面部分より厚みを多く形成している。このような構成であれば、ボールマーカーを保持体（２）に接着させた場合にもマーカーの厚みを加えても外周部の高さより厚みが多くなることはなく、ボールマーカーをメタルプレートに接着させた場合にも、該マーカー保持体外周部高さと該ボールマーカーとが、略面一となり、使用時にホルダーがどこかへ接触してもボールマーカーが保持体から外れることを防止することが可能となる。
【００１９】
また、図４に示すように裏面に設ける鏡は、対象物が良く映し出されるように、保持体の裏面全体に設けている。
なお、表面部分（７）については、装飾を施しても良いし、ネームプレートとしても良い。実施例においては、メタルプレートとしている。さらに両面とも鏡としても良いことは勿論である。
さらに、鏡を裏面一面としなくとも、さりげなく半面としたりしても良い。マーカー本体にはリング（３）そしてポケット等に挟んで掛けることができるようにクリップ（４）が設けられている。この保持体にボールマーカーを接着し、ゴルフクラブのヘッドカバーにホルダーをつけた使用状態図は図６のようになる。
次に、ヘッドカバーホルダー等以外の用途として、図５に示すようなキーホルダー用のフック（ナスカン）（５）を先端に付けることで、鞄などにもぶら下げることが可能となる。このような使用方法であれば、あらゆる場所で簡単に鏡を利用することができる。例えば、通勤時やオフィスでも使用することができて便利である。週末だけゴルフに行く人であれば、平日には、通勤用の鞄に取り付けておき、ゴルフに行く時は、鞄から外してゴルフのズボンのポケットに入れて、ヘッドカバーホルダー兼鏡として使用可能となる。なお当然のことながら、本考案はこれらに限定されるものではない。
【産業上の利用可能性】
【００２０】
本考案は、多種の物品のホルダーとして使用しながら、鏡の機能も果たすため、あらゆる場面において、容易に身だしなみをチェックできて便利であり、産業上の利用可能性を有する。さらに、アクセサリー兼用携帯鏡は、保持体の少なくとも一面に鏡を設け、さらに鞄等へ接続が可能なキーホルダー用のクリップを設けたのであらゆる物品にホルダーを取り付けることが可能となり、同じく産業上の利用可能性を有する。
【符号の説明】
【００２１】
１    多用途ホルダー
２    保持体本体
２ａ  外周部分
３    リング
４    クリップ
５    キーホルダー用のフック
６    鏡
７    メタルプレート
８    ボールマーカー
９    ヘッドカバー
【図１】
0003150675.tif 000003
【図２】
0003150675.tif 000004
【図３】
0003150675.tif 000005
【図４】
0003150675.tif 000006
【図５】
0003150675.tif 000007
【図６】
0003150675.tif 000008